(57)【特許請求の範囲】
【請求項１】
広告主によって入力される広告関連情報に予め設定されたキーワードが含まれているか否かを確認するキーワード確認部と、
前記広告のタイトル及び説明語句に前記キーワードが含まれる場合、前記広告主がキーワード関連サービスに加入しているか否かに応じて前記広告関連情報の登録の有無を管理する登録管理部と、
前記キーワードを前記キーワード関連サービスのデータベースを参照して前記データベースの内容と同期化する同期化部と、
を備え、
前記キーワード関連サービスは、加盟店に加入した広告主の商品またはサービスの購入による取引代金に基づいて積立金を提供するサービスを含み、
前記登録管理部は、前記広告関連情報として入力される前記広告のタイトル及び説明語句に、積立金に関連して予め設定されたキーワードが、含まれる場合、前記広告主の加盟店の加入有無に応じて前記タイトル及び説明語句の登録を許可または制限する登録管理部をさらに備える
ことを特徴とする広告提供システム。
【請求項２】
前記キーワード関連サービスは、加盟店に加入した広告主の商品またはサービスの購入による取引代金に基づいて積立金を提供するサービスを含み、
前記積立金は、前記広告が提示されるパブリッシャーの会員が前記パブリッシャーに関連するウェブページに含まれる前記広告によって加盟店を訪問して商品またはサービスを購入する場合に、前記会員に提供されることを特徴とする請求項１に記載の広告提供システム。
【請求項３】
前記広告関連情報として入力される前記広告のタイトル及び説明語句に前記広告の現在の積立率が含まれるキーワードを追加するキーワード追加部を備えることを特徴とする請求項１に記載の広告提供システム。
【請求項４】
前記キーワード追加部は、前記広告が提示されるパブリッシャーから受信された前記現在の積立率に応じる情報に基づいて前記現在の積立率が含まれるキーワードを生成することを特徴とする請求項３に記載の広告提供システム。
【請求項５】
コンピュータにより実現されるキーワード確認部、登録管理部及び同期化部を有する広告提供方法であり、
前記キーワード確認部によって広告主によって入力される広告関連情報に予め設定されたキーワードが含まれているか否かを確認し、
前記広告のタイトル及び説明語句に前記キーワードが含まれる場合、前記登録管理部によって前記広告主がキーワード関連サービスに加入しているか否かに応じて前記広告関連情報の登録の有無を管理し、
前記同期化部によって前記キーワードを前記キーワード関連サービスのデータベースを参照して前記データベースの内容と同期化すること、
を含み、
前記キーワード関連サービスは、加盟店に加入した広告主の商品またはサービスの購入による取引代金に基づいて積立金を提供するサービスを含み、
前記登録の有無を管理することは、前記広告関連情報として入力される前記広告のタイトル及び説明語句に、積立金に関連して予め設定されたキーワードが、含まれた場合、前記広告主の加盟店の加入有無に応じて前記のタイトル及び説明語句の登録を許可または制限することを特徴とする広告提供方法。
【請求項６】
前記キーワード関連サービスは、加盟店に加入した広告主の商品またはサービスの購入による取引代金に基づいて積立金を提供するサービスを含み、
前記積立金は、前記広告が提示されるパブリッシャーの会員が前記パブリッシャーに関連するウェブページで前記広告によって加盟店に訪問して商品またはサービスを購入する場合に前記会員に提供されることを特徴とする請求項５に記載の広告提供方法。
【請求項７】
前記広告関連情報として入力される前記広告のタイトル及び説明語句に前記広告の現在の積立率が含まれるキーワードを追加することをさらに含むことを特徴とする請求項５に記載の広告提供方法。
【請求項８】
前記キーワードを追加するステップは、前記広告が提示するパブリッシャーから受信された前記現在の積立率に応じる情報に基づいて前記現在の積立率が含まれるキーワードを生成することを特徴とする請求項７に記載の広告提供方法。
【請求項９】
請求項５から請求項８のいずれか１項の方法をコンピュータに実行させるためのプログラムを記録したコンピュータで読み出し可能な記録媒体。
【発明の詳細な説明】
【技術分野】
【０００１】
本発明は、広告の説明と積立条件とを同期化する広告提供システム及び方法に関する。
【背景技術】
【０００２】
従来、積立金は、ユーザが商品やサービスの提供を受けて、提供された商品やサービスに対する決済するときに決済された金額、すなわち、取引代金に基づいて決定される。したがって、一般的には販売された商品やサービスの取引代金と提供される積立金は互いに比例している。特に、販売された商品やサービスの取引代金に対する積立率が全ての商品または全てのサービスに同一であれば、全体の取引代金と積立金の総額は比例し線形に変化する。各商品またはサービスごとに取引代金に対する積立率が少しずつ異なるとしても、全体の取引代金と積立金の総額はほぼ線形に変化する。
【０００３】
すなわち、従来技術に係る積立金管理方法においては、積立金の財源は取引代金である。したがって、全体の取引代金が大きくなるほど積立金の総額も大きくなるため、取引代金に対する積立金の積立率を固定して提供することができる。言い換えれば、従来技術に係る積立金管理方法では、容易かつ手軽に商品やサービスの販売前に積立率を予め決定してもよく、決定された積立率をユーザに予め知らせてもよい。
【０００４】
しかし、積立金の財源が取引代金ではない場合、例えば、個別の取引において積立金は取引代金の一定の比率に対して付与されるが、積立金の総額が他の財源によって満たされる場合には、取引代金に応じて積立金の金額や積立率を決定することが困難となるという問題が発生する。特に、積立金の総額が取引代金とは異なる比率で発生する場合、固定されている場合には取引代金に対してどれだけの積立金を提供しなければならないか、または、どれだけの積立率を適用しなければならないかを把握するのは困難である。
【０００５】
例えば、大韓民国公開特許第１０−２００２−００６０８５５号公報はインターネット電子商取引ウェブサイトの仲介方法に関し、商取引ウェブサイトを仲介するとき加入者が様々な手段で仲介ウェブサイトに接続し、仲介された電子商取引ウェブサイトで物を購入する場合、仲介された商取引ウェブサイトから一定金額が支給され、ユーザに一定金額を積立して支給する従来技術が開示されている。すなわち、このような従来技術では商取引ウェブサイトから積立金の財源が取引代金ではないため、ユーザに支給する金額を決定し難いという問題がある。
【先行技術文献】
【特許文献】
【０００６】
【特許文献１】大韓民国公開特許第１０−２００２−００６０８５５号公報
【発明の概要】
【発明が解決しようとする課題】
【０００７】
そこで、本発明では、積立金の財源が取引代金ではない場合でも効率よく積立金を管理することのできるシステム及び方法を提供することを課題の一つとする。
【０００８】
本発明の目的の一つは、広告主から入力された広告のタイトル及び説明語句（Ｔｉｔｌｅ  ａｎｄ  Ｄｅｓｃｒｉｐｔｉｏｎ、以下、「Ｔ＆Ｄ」）に積立金に関連するキーワードが含まれる場合、広告主の加盟店の加入有無に応じて「Ｔ＆Ｄ」の登録可能の有無を決定することのできる広告提供システム及び方法を提供することである。
【０００９】
本発明の他の目的は、広告の「Ｔ＆Ｄ」に積立率が含まれた場合、広告の「Ｔ＆Ｄ」に含まれる積立率を該当広告の現在の積立率と同期化することのできる広告提供システム及び方法を提供する。
【課題を解決するための手段】
【００１０】
広告主によって入力される広告関連情報に予め設定されたキーワードが含まれているか否かを確認するキーワード確認部と、広告のタイトル及び説明語句にキーワードが含まれる場合、広告主がキーワード関連サービスに加入しているか否かに応じて広告関連情報の登録の有無を管理する登録管理部と、キーワードをキーワード関連サービスのデータベースを参照してデータベースの内容と同期化する同期化部とを備え、広告関連情報のうち同期化されたキーワードを含む少なくとも一部の情報が広告主の広告として提示される広告提供システムが提供される。
【００１１】
本発明の一実施形態によると、キーワード関連サービスは、加盟店に加入した広告主の商品またはサービスの購入による取引代金に基づいて積立金を提供するサービスを含み、登録管理部は、広告関連情報として入力される広告のタイトル及び説明語句に積立金に関連して予め設定されたキーワードが含まれる場合、広告主の加盟店の加入有無に応じてタイトル及び説明語句の登録を許可または制限する登録管理部をさらに備えてもよい。
【００１２】
本発明の一実施形態によると、キーワード関連サービスは、加盟店に加入した広告主の商品またはサービスの購入による取引代金に基づいて積立金を提供するサービスを含み、積立金は、広告が提示されるパブリッシャーの会員がパブリッシャーに関連するウェブページで広告によって加盟店に訪問して商品またはサービスを購入する場合に会員に提供されてもよい。
【００１３】
本発明の一実施形態によると、広告関連情報として入力される広告のタイトル及び説明語句に広告の現在の積立率が含まれたキーワードを追加するキーワード追加部を備えてもよい。
【００１４】
本発明の一実施形態によると、キーワード追加部は、広告が提示されるパブリッシャーから受信された現在の積立率に応じる情報に基づいて現在の積立率が含まれたキーワードを生成してもよい。
【００１５】
広告主によって入力される広告関連情報に予め設定されたキーワードが含まれているか否かを確認し、広告のタイトル及び説明語句にキーワードが含まれる場合、広告主がキーワード関連サービスに加入しているか否かに応じて広告関連情報の登録の有無を管理し、キーワードをキーワード関連サービスのデータベースを参照してデータベースの内容と同期化することを含み、広告関連情報のうち同期化されたキーワードを含む少なくとも一部の情報を広告主の広告として提示する広告提供方法が提供される。
【発明の効果】
【００１６】
本発明によると、広告主が提示した広告によってユーザが広告主の商品やサービスを購入して、決済が行われる場合、ユーザに積立金を提供することができる。
【００１７】
本発明によると、特定商品や特定サービスの購入、または特定ウェブサイトに含まれた商品やサービスの購入による積立金をユーザに提供することによって、ユーザの関心を誘導することができ、これによって加盟店に加入した広告主の広告効果を増大させることができる。
【００１８】
本発明によると、当該媒体の立場から広告効果の増大により広告主の関心を誘導して広告収益を高めることができる。
【００１９】
本発明によると、広告主から入力された広告のタイトル及び説明語句（以下、「Ｔ＆Ｄ」）に積立金に関連するキーワードが含まれる場合、広告主の加盟店の加入有無に応じて「Ｔ＆Ｄ」の登録可能の有無を決定することができる。
【００２０】
本発明によると、広告の「Ｔ＆Ｄ」に積立率が含まれた場合、広告の「Ｔ＆Ｄ」に含まれる積立率を該当広告の現在の積立率と同期化することができる。
【図面の簡単な説明】
【００２１】
【図１】本発明の一実施形態に係る広告主、広告プラットフォーム、パブリッシャー及びユーザ間の関係を概括的に示す図である。
【図２】本発明の一実施形態に係る会員、加盟店及び積立金管理システム間の関係を示す図である。
【図３】本発明の一実施形態に係る積立金の積立方法と使用方法を示すフローチャートである。
【図４】本発明の一実施形態に係る広告主の広告を提示するウェブサイトを示す画面の一例である。
【図５】本発明の一実施形態に係る広告主の広告を提示するウェブサイトを示す画面の他の例である。
【図６】本発明の一実施形態に係る広告主に関連するウェブサイトの注文ページを示す一例である。
【図７】本発明の一実施形態に係る積立率が表示された表式を示すウェブサイト画面の一例である。
【図８】本発明の一実施形態に係る広告提供システムの内部構成を説明するためのブロック図である。
【図９】本発明の一実施形態に係る広告提供方法を示すフローチャートである。
【図１０】本発明の他の実施形態に係る広告提供システムの内部構成を説明するためのブロック図である。
【図１１】本発明の他の実施形態に係る広告提供方法を示すフローチャートである。
【発明を実施するための形態】
【００２２】
図１は、本発明の一実施形態に係る広告主、広告プラットフォーム、パブリッシャー、およびユーザの間の関係を概括的に示す図である。すなわち、図１は、広告主１１０、広告プラットフォーム１２０、パブリッシャー１３０、およびユーザ１４０を示している。ここで、広告主１１０およびユーザ１４０は、実質的には広告主１１０またはユーザ１４０が用いるパーソナルコンピュータ（ＰＣ）、スマートフォンなどの端末を意味する場合がある。すなわち、図１において矢印は、広告主１１０が用いる端末、広告プラットフォーム１２０、パブリッシャー１３０、およびユーザ１４０が用いる端末間に有無線ネットワークを用いてデータが送受信される可能性があることを意味する場合がある。
【００２３】
まず、広告プラットフォーム１２０は、広告主１１０の広告に対する入札、広告とキーワード間のマッチング、広告や広告主の整列、パブリッシャー１３０への広告提供、および広告の提示による課金などを行なってもよい。広告プラットフォーム１２０の一般的な技術的な事項に関して、インターネットを介して伝達される検索広告および／またはバナー広告プラットフォームに対する従来技術を参照して理解でき、そのような事項はその説明を省略する場合がある。
【００２４】
本明細書において、「パブリッシャー」という用語は「ウェブサイト」という用語に置換して用いてもよい。ただし、ウェブサイトという用語を用いた発明がモバイル端末で実行されるアプリケーション画面など、一般的なＰＣによるウェブサイトへの接続ではない環境における本発明の実施可能性を排除することはない。逆に、「ウェブサイト」という用語は、パブリッシングウェブサイトまたは前述したパブリッシャーという用語に置換して用いてもよい。言い換えれば、各ウェブサイトは個別のパブリッシャーに対応してもよい。ここで、「ウェブサイト」という用語は、広告提示が可能で有無線ネットワークを介してユーザに提供可能な全ての種類のウェブサイトを含んでもよく、ウェブサイトを構成する１つのウェブページを含んでもよい。
【００２５】
また、広告の「提示」は、ウェブサイト（パブリッシャー）を介してその広告主に関連するテキスト、イメージなど、音、動画、ハイパーリンクなどの閲覧可能なコンテンツを当該ウェブサイトの訪問者へ提供することを含むように解釈できる。また、提示された広告に対する「選択」は、ユーザ（ウェブサイト訪問者）が提供されたテキスト、イメージなどの閲覧可能なコンテンツに対してマウスクリックなどの反応を示すことによって、広告主が閲覧可能なコンテンツの伝達によって達成しようとする状況が発生することを意味する。ここで、広告主が誘導した状況は、一例として、広告主に関連するページを、広告を選択したユーザに提示することを含んでもよい。
【００２６】
パブリッシャー１３０はユーザ１４０に自身のウェブサイトを提供してもよく、ウェブサイトを介してウェブサイトが含んでいるページを提供したり、入力されるキーワードを介してキーワードの検索結果をユーザ１４０に提供したりしてもよい。ここで、パブリッシャー１３０は、広告プラットフォーム１２０にページを介して提示するための広告が伝達され、ユーザ１４０に提供してもよい。また、パブリッシャー１３０は、ユーザ１４０が入力したキーワードを広告プラットフォーム１２０に伝達してもよく、広告プラットフォーム１２０からキーワードに対する広告が伝達され、検索結果としてユーザ１４０に提供してもよい。
【００２７】
パブリッシャー１３０は、ユーザ１４０に広告が直接提供される経路（画面）を提供してもよく、一般的なオンライン環境において、広告はウェブサイトを介して提供されてもよい。ここで、広告プラットフォーム１２０が含んでいる複数の個別の広告プラットフォーム（第１の広告プラットフォーム、第２の広告プラットフォーム、・・・）それぞれはパブリッシャー１３０が含んでいる複数の個別のパブリッシャー（第１のパブリッシャー、第２のパブリッシャー、・・・）のうち少なくとも１つの個別のパブリッシャーを介して広告を提示してもよい。また、複数の個別のパブリッシャーそれぞれは、ユーザ１４０に少なくとも１つのウェブサイトを介して前述した広告の提示を含む統合検索、キーワード検索、ブログサービスなどのように有無線ネットワークによって提供可能な様々なサービスのうち少なくとも１つを提供してもよい。
【００２８】
図２は、本発明の一実施形態に係る会員、加盟店、および広告提供システム間の関係を示す図である。すなわち、図２は、広告提供システム２１０、加盟店２２０および会員２３０の間の関係を概括的に表している。ここで、広告提供システム２１０は、図１を参照して説明した個別の広告プラットフォームのシステムに含むまれ、または、関連するシステムであってもよい。また、加盟店２２０は、次に定義されるウェブサイトを意味する。すなわち、加盟店２２０は、図１に示す広告主１１０のうち、広告提供システム２１０に関連するウェブサイトを介して加盟店の加入をリクエストし、加盟の承認が完了した広告主のウェブサイトを意味する。また、会員２３０は、図１に示すユーザ１４０のうち広告提供システム２１０に関連するウェブサイトを介して会員加入の手続きを経たユーザを意味する。例えば、広告提供システム２１０に関連するウェブサイトは、個別の広告プラットフォームが広告に関する情報を提供するパブリッシャーのウェブサイトを含んでもよい。すなわち、会員２３０がパブリッシャーのウェブサイトを訪問してパブリッシャーのウェブサイトで加盟店としての加入が承認された広告主の広告によって広告主ページに訪問し、広告主ページで商品またはサービスを購入する場合に会員２３０は取引代金に基づいて決定される積立金が提供されてもよい。
【００２９】
ここで、パブリッシャーのウェブサイトを介して広告主ページへのリンクが設定された広告のタイトル及び説明語句（Ｔｉｔｌｅ  ａｎｄ  Ｄｅｓｃｒｉｐｔｉｏｎ、以下、「Ｔ＆Ｄ」）がユーザに提示され、さらに、積立金の積立率がユーザにさらに提示されてもよい。ここで、積立率とは、次の基準を含んでもよい。すなわち、積立率は、パブリッシャーの会員２３０がパブリッシャーのウェブサイトで広告によって加盟店２２０に訪問して商品またはサービスを購入する場合、購入によって会員２３０に提供される積立金を決定する基準を含んでもよい。例えば、積立率は、提供される積立金の取引代金に対する比率を含んでもよい。ここで、取引代金は、商品またはサービスの購入により発生する取引代金を意味する。
【００３０】
このような広告提供システム２１０は、広告主から入力される広告の「Ｔ＆Ｄ」に積立金に関連するキーワードが含まれた場合、広告主の加盟店の加入有無に応じて「Ｔ＆Ｄ」の登録が可能であるかどうかを決定してもよい。例えば、広告提供システム２１０は「ＣａｓｈＮ％」のようなキーワードが「Ｔ＆Ｄ」に含まれている場合、該当の「Ｔ＆Ｄ」を入力する広告主が加盟店に加入した広告主であるかを確認してもよく、加盟店として加入された広告主に限って、該当の「Ｔ＆Ｄ」の登録を可能としてもよい。もし、加盟店に加入していない広告主によって「ＣａｓｈＮ％」のようなキーワードを含む「Ｔ＆Ｄ」に登録された場合、ユーザが加盟店ではない広告主の広告によって積立金が提供されものと誤認することがある。したがって、広告提供システム２１０は、加盟店に加入した広告主のみが積立金に関連するキーワードを「Ｔ＆Ｄ」に含ませることによって、ユーザの混乱を防止することができる。
【００３１】
また、広告提供システム２１０は、広告の「Ｔ＆Ｄ」に積立率が含まれる場合、広告の「Ｔ＆Ｄ」に含まれた積立率を、広告の現在の積立率と同期化してもよい。いいかえると、広告の現在の積立率を、広告の「Ｔ＆Ｄ」に含まれた積立率とする。もちろん、逆であってもよい。また、現在の積立率は、リアルタイム、日単位、週単位、または月単位のように期間ごとに可変的に変動してもよい。したがって、広告提供システム２１０は「Ｔ＆Ｄ」に含まれた積立率を現在の積立率と同期化することによって、積立率に対する正確な情報をユーザに提供することができる。例えば、「Ｔ＆Ｄ」に含まれた積立率が２％であり、現在の積立率が２％から３％に変更された場合、「Ｔ＆Ｄ」の積立率と現在の積立率との差が発生してユーザが混乱することがある。この場合、広告提供システム２１０は、「Ｔ＆Ｄ」に含まれた積立率を３％に変更して現在の積立率と同期化することで混乱の発生を予防できる。
【００３２】
また、本明細書で「積立金」とは、現実の世界で用いられる貨幣の単位によって表してもよいが、必要に応じて現実の世界で用いられる貨幣に対応するポイントやマイレージなどのサイバー貨幣によって表してもよい。サイバー貨幣の場合、例えば、現実の世界で用いられる貨幣と１：１の比率の価値を有するサイバー貨幣、または１：１０の比率の価値を有するサイバー貨幣などのよう必要に応じて自由に表してもよい。
【００３３】
このような広告提供システムについては後で詳しく説明する。まず、図３から図７を参照して本発明の実施形態に基本となる積立金の積立／使用方法、加盟店の表示方法、そして積立率に応じる情報の提供方法について説明する。
【００３４】
図３は、本発明の一実施形態に係る積立金の積立方法および使用方法を示すフローチャートである。図３において、本発明の一実施形態に係る積立金の積立方法および使用方法が、積立ステップＳ３１０および使用ステップＳ３２０に大きく分けられることを示している。
【００３５】
まず、積立ステップＳ３１０は、会員が加盟店の商品またはサービスを購入するステップＳ３１１、加盟店がパブリッシャーに積立代金を支払うステップＳ３１２、及びパブリッシャーが該当会員の積立金を積み立てるステップＳ３１３を含んでもよい。すなわち、会員が加盟店を訪問して商品またはサービスを購入すると、加盟店でパブリッシャーに積立金のための積立代金を先に支払い、パブリッシャーが当該会員の積立金を積み立てることによって積立ステップＳ３１０が行われてもよい。
【００３６】
また、使用ステップＳ３２０は、会員が積立金を利用するステップＳ３２１とパブリッシャーが当該会員の積立金を差し引くステップＳ３２２、及びパブリッシャーが当該加盟店に決済代金を支払うステップＳ３２３を含んでもよい。すなわち、会員が加盟店で商品またはサービスを購入するとき、積み立てられた積立金の少なくとも一部を使用すると、パブリッシャーは会員が利用した金額だけ積立金を差し引き、決済に利用された積立金額に相当する決済代金を当該加盟店に支払うことで使用ステップＳ３２０が行われてもよい。
【００３７】
図２および図３を共に参照すると、パブリッシャーは広告提供システム２１０を運用する主体を意味する。ここで、広告提供システム２１０は、ウェブサイトを介して会員２３０に提示する広告のうち、加盟店２２０の広告に加盟店の有無を示すマークなどが共に提示されてもよい。
【００３８】
図４は、本発明の一実施形態に係る広告主の広告を提示するウェブサイトにより示される画面の一例である。図４に示す画面４００は、図１を参照して説明した広告主１１０の広告を提示するウェブサイト（パブリッシャー）画面の一部分を示す一例である。ここで、「Ｃａｓｈ」アイコン４１０〜４４０が設定された個別広告は、図１から図３を参照して説明した積立金を提供する広告を意味する。すなわち、加盟店としての加入が承認されて積立金提供が許可された広告主の広告に対して「Ｃａｓｈ」アイコン４１０から４４０が提示されてもよい。
【００３９】
ここで、図２を参照して説明した会員２３０が「Ｃａｓｈ」アイコン４１０〜４４０が設定された広告のリンクを介して該当の商品ウェブサイトにアクセスして商品やサービスを購入する場合、取引代金の一定金額を積立金として受けてもよい。
【００４０】
図５は、本発明の一実施形態に係る広告主の広告を提示するウェブサイトにより示される画面の他の例である。図５に示す画面５００も図１を参照して説明した広告主１１０の広告が提示されるウェブサイト（パブリッシャー）画面の一部分を示す一例である。画面５００において、「Ｃａｓｈ」アイコン５１０及び５２０は個別商品ではない特定の広告主ショッピングモール全体に対して積立金が設定される場合である。この場合、「Ｃａｓｈ」アイコン５１０及び５２０は、特定の広告主ショッピングモールで販売される全ての商品またはサービスに積立金が設定されていることを意味する。また、この場合にも「Ｃａｓｈ」アイコン５３０と共に個別商品やサービスに積立金が設定されてもよい。
【００４１】
図６は、本発明の一実施形態に係る広告主に関連するウェブサイトの注文ページを示す一例である。画面６００は、特定の加盟店における注文ページ画面の一部分を示す一例である。ここで、点線ボックス６１０は、積立金が積立てられることを示すアイコンと、予め積立てられた積立金が存在する場合にこれを使用するユーザインタフェースを示す。ここで、積立金の積立や使用のためには本実施形態に係る広告提供システムに関連するウェブサイトへのログインが必要である。ここで、ログインボックス６２０は、広告提供システムに関連するウェブサイトへのログインのためのユーザインタフェースを示す。すなわち、ユーザはログインボックス６２０を介して広告提供システムに関連するウェブサイトにログインすることによって自身が加入した会員であることを認証できる。
【００４２】
図７は、積立率が表示されている本発明の一実施形態に係るウェブサイト画面の一例である。図７は、上述した図４に示すように、加盟店として加入した広告主の広告に広告主が加盟店であることを示す表示７１０〜７３０を追加して提示されるウェブサイト画面の一例である。ここで、図７に示す表示７１０〜７３０には、図４に示す「Ｃａｓｈ」アイコン４１０〜４４０とは異なる積立率が表示されている。積立率は上述したように会員が加盟店に訪問して商品またはサービスを購入する場合、購入による取引金額のうちどれほどの比率が積立金に積立てられるかを示す。例えば、積立率が２．０％であり、取引代金が２万ウォンである場合、会員には４００ウォンが積立てられる。また、図７に示された点線ボックス７４０は、広告主によって入力された「Ｔ＆Ｄ」が提示される領域を示す。
【００４３】
図８は、本発明の一実施形態に係る広告提供システムの内部構成を説明するためのブロック図である。本実施形態に係る広告提供システム８００は、図１を参照して説明した個別の広告プラットフォームのシステムに含まれるシステム、または、それに関連するシステムであってもよい。このような広告提供システム８００は、図８に示すようにキーワード確認部８１０、登録管理部８２０、積立率同期化部８３０、及びキーワード追加部８４０を備えてもよい。ここで、積立率同期化部８３０及びキーワード追加部８４０のうち少なくとも１つは必要に応じて選択的に広告提供システム８００に含まれてもよい。
【００４４】
キーワード確認部８１０は、広告主によって入力される広告の「Ｔ＆Ｄ」に積立金に関連する予め設定されたキーワードが含まれるかどうかを確認する。ここで、積立金は、次のようにパブリッシャーの会員に提供されてもよい。すなわち、パブリッシャーの会員がパブリッシャーに関連するウェブページで広告によって加盟店に訪問して商品またはサービスを購入する場合、購入による取引代金に基づいて決定されて、会員に提供されてもよい。すなわち、広告主が広告の「Ｔ＆Ｄ」を入力する場合、キーワード確認部８１０は、このような積立金に関連するキーワードが予め設定されたキーワードが「Ｔ＆Ｄ」に含まれているかどうかを確認してもよい。ここで、会員はパブリッシャーが運用するウェブサイトに加入したユーザを含んでもよい。
【００４５】
登録管理部８２０はキーワードが含まれた場合、広告主の加盟店の加入有無に応じて「Ｔ＆Ｄ」の登録を許可または制限する。例えば、登録管理部８２０は、加盟店に加入した広告主によって入力される「Ｔ＆Ｄ」に積立金に関連する予め設定されたキーワードが含まれる場合には該当「Ｔ＆Ｄ」の登録を許可してもよい。しかし、加盟店に加入していない広告主によって入力される「Ｔ＆Ｄ」に積立金に関連する予め設定されたキーワードが含まれる場合には、ユーザが誤解する可能性が存在するため、該当「Ｔ＆Ｄ」の登録を許可しなくてもよい。
【００４６】
積立率同期化部８３０は広告の「Ｔ＆Ｄ」に広告の積立率が含まれた場合、広告の「Ｔ＆Ｄ」に含まれた積立率を広告の現在の積立率と同期化する。ここで、積立率は、会員が加盟店に訪問して商品またはサービスを購入する場合、購入によって会員に提供される積立金を決定する基準を含む。例えば、積立金の取引代金に対する比率が積立率として決定されてもよい。ここで、広告の積立率は時間の流れ（リアルタイムまたは日、週、月などの時間単位）に応じて可変してもよい。一方、広告の「Ｔ＆Ｄ」に含まれた積立率は固定されている。すなわち、互いに異なる積立率がユーザに提供される場合に、ユーザが混乱することがある。そこで、広告提供システム８００は、積立率同期化部８３０を介して広告の「Ｔ＆Ｄ」に含まれた積立率と広告の実際の積立率を同期化することによってユーザの混乱を予防できる。
【００４７】
キーワード追加部８４０は、広告の「Ｔ＆Ｄ」に広告の現在の積立率が含まれたキーワードを追加する。一例として、キーワード追加部８４０は、積立率が含まれていない「Ｔ＆Ｄ」に広告の現在の積立率を追加してユーザに追加情報を提供してもよい。ここで、キーワード追加部８４０は、パブリッシャーから受信された現在の積立率に応じる情報に基づいて現在の積立率が含まれたキーワードを生成してもよい。ここで、追加されるキーワードはタグの形態に追加され、積立率の数字部分が自動に現在の積立率に同期化されるようにしてもよい。例えば、「ＣａｓｈＮ％積立」というキーワードを「Ｔ＆Ｄ」に追加すると、数字Ｎが現在の積立率を示す数字にリアルタイムまたは特定の時間単位に同期化できるようになっていてもよい。
【００４８】
図９は、本発明の一実施形態に係る広告提供方法を示すフローチャートである。本実施形態に係る広告提供方法は、図８を参照して説明した広告提供システム８００によって使用されてもよい。図９では広告提供システム８００によってステップＳ９１０〜ステップＳ９４０が行われる過程を説明することで広告提供方法について説明する。ここで、ステップＳ９３０及びステップＳ９４０のうち少なくとも１つのステップは、必要に応じて選択的に実行されてもよい。
【００４９】
ステップＳ９１０において、広告提供システム８００は広告主によって入力される広告の「Ｔ＆Ｄ」に積立金に関連する予め設定されたキーワードが含まれているか否かを確認する。ここで、積立金は、パブリッシャーの会員がパブリッシャーに関連するウェブページで広告によって加盟店に訪問して商品またはサービスを購入する場合、購入による取引代金に基づいて決定されて会員に提供されてもよい。すなわち、広告主が広告の「Ｔ＆Ｄ」を入力する場合、広告提供システム８００は、このような積立金に関連するキーワードが予め設定されたキーワードが「Ｔ＆Ｄ」に含まれているかを確認する。ここで、会員はパブリッシャーが運用するウェブサイトに加入したユーザを含んでもよい。
【００５０】
ステップＳ９２０において、広告提供システム８００は、予め設定されたキーワードが含まれた場合、広告主の加盟店の加入有無に応じて「Ｔ＆Ｄ」の登録を許可または制限する。例えば、広告提供システム８００は、加盟店に加入した広告主によって入力される「Ｔ＆Ｄ」に積立金に関連する予め設定されたキーワードを含む場合には該当「Ｔ＆Ｄ」の登録を許可してもよい。しかし、加盟店に加入していない広告主によって入力される「Ｔ＆Ｄ」に積立金に関連する予め設定されたキーワードを含む場合にはユーザが誤解する可能性が存在するため、該当「Ｔ＆Ｄ」の登録を許可しなくてもよい。
【００５１】
ステップＳ９３０において、広告提供システム８００は広告の「Ｔ＆Ｄ」に積立金の積立率が含まれた場合、広告の「Ｔ＆Ｄ」に含まれた積立率を広告の現在の積立率と同期化する。ここで、積立率は、会員が加盟店に訪問して商品またはサービスを購入する場合、購入によって会員に提供される積立金を決定する基準を含んでもよい。例えば、積立金の取引代金に対する比率が積立率として決定されてもよい。ここで、広告の積立率は、時間の流れ（リアルタイムまたは日、週、月などの時間単位）に応じて可変となっていてもよい。一方、広告の「Ｔ＆Ｄ」に含まれた積立率は固定されていてもよい。すると、互いに異なる積立率がユーザに提供され、ユーザは混乱することがあるため、広告提供システム８００は、ステップＳ９３０によって広告の「Ｔ＆Ｄ」に含まれた積立率と広告の実際の積立率とを同期化することによってユーザの混乱を予防できる。
【００５２】
ステップＳ９４０において、広告提供システム８００は広告の「Ｔ＆Ｄ」に広告の現在の積立率が含まれたキーワードを追加する。一例として、広告提供システム８００は、積立率が含まれていない「Ｔ＆Ｄ」に広告の現在の積立率を追加してユーザに追加情報を提供してもよい。ここで、広告提供システム８００は、パブリッシャーから受信された現在の積立率に応じる情報に基づいて現在の積立率の含まれたキーワードを生成してもよい。ここで、追加されるキーワードは、タグの形態に追加されて積立率の数字部分が自動に現在の積立率に同期化されるようにしてもよい。例えば、「ＣａｓｈＮ％積立」というキーワードを「Ｔ＆Ｄ」に追加することにより、数字Ｎが現在の積立率を示す数字にリアルタイムまたは特定の時間単位に同期化できる。
【００５３】
図１０は、本発明の他の実施形態に係る広告提供システムの内部構成を説明するためのブロック図である。本実施形態に係る広告提供システム１０００は、図１を参照して説明した個別の広告プラットフォームのシステムに含まれるシステム、または関連するシステムであってもよい。このような広告提供システム１０００は、図１０に示すように積立率確認部１０１０、積立率同期化部１０２０、登録管理部１０３０、及びキーワード追加部１０４０を備えてもよい。ここで、登録管理部１０３０及びキーワード追加部１０４０のうち少なくとも１つは必要に応じて選択的に広告提供システム１０００に含まれてもよい。
【００５４】
積立率確認部１０１０は、広告主によって入力される広告の「Ｔ＆Ｄ」に積立率が含まれているか否かを確認する。ここで、積立率は、次のような積立金を決定する基準を含んでもよい。すなわち、パブリッシャーの会員がパブリッシャーに関連するウェブページで広告によって加盟店に訪問して商品またはサービスを購入する場合、購入によって会員に提供される積立金を決定する基準を含んでもよい。例えば、積立金の取引代金に対する比率が積立率として決定されてもよい。すなわち、積立率確認部１０１０は広告の積立率が広告の「Ｔ＆Ｄ」に含まれているかを確認してもよい。
【００５５】
積立率同期化部１０２０は、広告の「Ｔ＆Ｄ」に広告の積立率が含まれる場合、広告の「Ｔ＆Ｄ」に含まれた積立率を広告の現在の積立率と同期化する。ここで、広告の積立率は、時間の流れ（リアルタイムまたは日、週、月などの時間単位）に応じて可変となっていてもよい。一方、広告の「Ｔ＆Ｄ」に含まれた積立率は固定されていてもよい。この場合、互いに異なる積立率がユーザに提供されるために、ユーザが混乱することがあるため、広告提供システム１０００は、積立率同期化部１０２０を介して広告の「Ｔ＆Ｄ」に含まれた積立率と広告の実際の積立率とを同期化することによってユーザの混乱を予防できる。
【００５６】
登録管理部１０３０は、広告の「Ｔ＆Ｄ」に積立金に関連して予め設定されたキーワードが含まれる場合、広告主の加盟店の加入有無に応じて「Ｔ＆Ｄ」の登録を許可または制限する。ここで、積立金は、パブリッシャーの会員がパブリッシャーに関連するウェブページで広告によって加盟店に訪問して商品またはサービスを購入する場合、購入による取引代金に基づいて決定されて会員に提供されてもよい。すなわち、広告主が広告の「Ｔ＆Ｄ」を入力する場合、登録管理部１０３０は、このような積立金に関連するキーワードが予め設定されたキーワードとして「Ｔ＆Ｄ」に含まれているかを確認してもよい。ここで、会員は、パブリッシャーが運用するウェブサイトに加入したユーザを含んでもよい。また、登録管理部１０３０は、加盟店に加入した広告主によって入力される「Ｔ＆Ｄ」に積立金に関連する予め設定されたキーワードが含まれる場合には該当「Ｔ＆Ｄ」の登録を許可してもよい。しかし、加盟店に加入していない広告主によって入力される「Ｔ＆Ｄ」に積立金に関連する予め設定されたキーワードが含まれる場合にはユーザが誤解する可能性が存在するため、該当「Ｔ＆Ｄ」の登録を許可しなくてもよい。
【００５７】
キーワード追加部１０４０は、図８を参照して説明したキーワード追加部８４０と同一に動作するため反復的な説明は省略する。
【００５８】
図１１は、本発明の他の実施形態に係る広告提供方法を示すフローチャートである。本実施形態に係る広告提供方法は、図１０を参照して説明した広告提供システム１０００によって使用されてもよい。図１１では、広告提供システム１０００によってステップＳ１１１０からステップＳ１１４０が実行される過程を説明することで広告提供方法を説明する。ここで、ステップＳ１１３０及びステップＳ１１４０のうち少なくとも１つのステップは必要に応じて選択的に実行されてもよい。
【００５９】
ステップＳ１１１０において、広告提供システム１０００は、広告主によって入力される広告の「Ｔ＆Ｄ」に積立率が含まれているか否かを確認する。ここで、積立率は、パブリッシャーの会員がパブリッシャーに関連するウェブページで広告によって加盟店に訪問して商品またはサービスを購入する場合、購入により会員に提供される積立金を決定する基準を含んでもよい。例えば、積立金の取引代金に対する比率が積立率として決定されてもよい。すなわち、広告提供システム１０００は広告の積立率が広告の「Ｔ＆Ｄ」に含まれているか否かを確認してもよい。
【００６０】
ステップＳ１１２０において、広告提供システム１０００は広告の「Ｔ＆Ｄ」に広告の積立率が含まれる場合、広告の「Ｔ＆Ｄ」に含まれる積立率を広告の現在の積立率と同期化する。ここで、広告の積立率は、時間の流れ（リアルタイムまたは日、週、月などの時間単位）に応じて可変であってもよい。一方、広告の「Ｔ＆Ｄ」に含まれた積立率は固定されている。このため、互いに異なる積立率がユーザに提供されると、ユーザが混乱することがあるので、広告提供システム１０００は、積立率同期化部１０２０によって広告の「Ｔ＆Ｄ」に含まれた積立率と広告の実際積立率を同期化することによってユーザの混乱を予防できる。
【００６１】
ステップＳ１１３０において、広告提供システム１０００は、広告の「Ｔ＆Ｄ」に積立金に関連して予め設定されたキーワードが含まれた場合、広告主の加盟店の加入有無に応じて「Ｔ＆Ｄ」の登録を許可または制限する。ここで、積立金は、パブリッシャーの会員がパブリッシャーに関連するウェブページで広告によって加盟店に訪問して商品またはサービスを購入する場合、購入による取引代金に基づいて決定されて会員に提供されてもよい。すなわち、広告主が広告の「Ｔ＆Ｄ」を入力する場合、広告提供システム１０００は、このような積立金に関連するキーワードが予め設定されたキーワードが「Ｔ＆Ｄ」に含まれているかを確認してもよい。ここで、会員は、パブリッシャーが運用するウェブサイトに加入したユーザを含んでもよい。また、広告提供システム１０００は、加盟店に加入した広告主によって入力される「Ｔ＆Ｄ」に積立金に関連する予め設定されたキーワードが含まれる場合には、該当「Ｔ＆Ｄ」の登録を許可してもよい。しかし、加盟店に加入していない広告主によって入力される「Ｔ＆Ｄ」に積立金に関連する予め設定されたキーワードが含まれる場合にはユーザが誤解する可能性が存在するため、該当「Ｔ＆Ｄ」の登録を許可しなくてもよい。
【００６２】
ステップＳ１１４０は、図９で説明したステップＳ９４０と同一の構成であるため反復的な説明は省略する。
【００６３】
それぞれの図面に対して省略された説明は他の図面の説明を参照してもよい。
【００６４】
このように、本発明の実施形態によれば、広告主の提示された広告によってユーザが広告主の商品やサービスを購入して決済が行われる場合、ユーザに積立金を提供してもよく、特定商品や特定サービスの購入、または特定ウェブサイトに含まれた商品やサービスの購入による積立金をユーザに提供することでユーザの関心を誘導でき、これによって加盟店に加入した広告主の広告効果を増大させることができる。また、当該媒体の立場として、広告効果の増大により広告主の関心を誘導して広告収益を高めることができる。
【００６５】
それだけではなく、広告主から入力された広告の「Ｔ＆Ｄ」に積立金に関連するキーワードが含まれる場合、広告主の加盟店の加入有無に応じて「Ｔ＆Ｄ」の登録可能の有無を決定してもよく、広告の「Ｔ＆Ｄ」に積立率が含まれる場合、広告の「Ｔ＆Ｄ」に含まれる積立率を該当広告の現在の積立率と同期化してもよい。
【００６６】
本発明の実施形態に係る方法は、多様なコンピュータ手段を介して様々な処理を実行することができるプログラム命令の形態で実現され、コンピュータ読取可能な記録媒体に記録されてもよい。コンピュータ読取可能な媒体は、プログラム命令、データファイル、データ構造などの単独または組み合わせたものを含んでもよい。媒体に記録されるプログラム命令は、本発明の目的のために特別に設計されて構成されたものでもよく、コンピュータソフトウェア分野の技術を有する当業者にとって公知のものであり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、光ディスクのような光磁気媒体、及びＲＯＭ、ＲＡＭ、フラッシュメモリなどのようなプログラム命令を格納して実行するように特別に構成されたハードウェア装置が含まれてもよい。プログラム命令の例としては、コンパイラによって生成されるような機械語コード（ｍａｃｈｉｎｅ  ｃｏｄｅ）だけでなく、インタプリタなどを用いてコンピュータによって実行され得る高級言語コード（ｈｉｇｈｅｒ  ｌｅｖｅｌ  ｃｏｄｅ）を含む。上述したハードウェア装置は、本発明の動作を行うために１つ以上のソフトウェアのレイヤで動作するように構成されてもよい。
【００６７】
上述したように本発明を限定された実施形態と図面によって説明したが、本発明は、上記の実施形態に限定されることなく、本発明が属する分野における通常の知識を有する者であれば、このような実施形態から多様な修正及び変形が可能である。
【００６８】
したがって、本発明の範囲は、開示された実施形態に限定して定められるものではなく、特許請求の範囲だけではなく特許請求の範囲と均等なものなどによって定められるものである。
【符号の説明】
【００６９】
２１０      広告提供システム
２２０      加盟店
２３０      会員
【図１】
0005479539.tif 000002
【図２】
0005479539.tif 000003
【図３】
0005479539.tif 000004
【図４】
0005479539.tif 000005
【図５】
0005479539.tif 000006
【図６】
0005479539.tif 000007
【図７】
0005479539.tif 000008
【図８】
0005479539.tif 000009
【図９】
0005479539.tif 000010
【図１０】
0005479539.tif 000011
【図１１】
0005479539.tif 000012